【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
a）アノードと；
b）カソードと；
c）上記アノードと上記カソードの間に配置され、それぞれが少なくとも1つの発光層を備えていて白色光を出す複数の有機エレクトロルミネッセンス・ユニットと；
d）隣り合った有機エレクトロルミネッセンス・ユニットの間に配置され、少なくとも2つの異なる層を備えていて外部電源に直接は接続されていない中間接続層とを備えるタンデム式白色OLEDデバイス。
【請求項２】
上記有機エレクトロルミネッセンス・ユニットのそれぞれが少なくとも2つの発光層を備えていて、その発光層のそれぞれが異なる色の光を出す、請求項1に記載のタンデム式白色OLEDデバイス。
【請求項３】
それぞれの中間接続層が、少なくとも、前の有機エレクトロルミネッセンス・ユニットの電子輸送層に隣接して配置されたn型をドープされた有機層と、そのn型をドープされた有機層の上に配置されたp型をドープされた有機層とを含む、請求項1に記載のタンデム式白色OLEDデバイス。
【手続補正２】
【補正対象書類名】明細書
【補正対象項目名】０１０４
【補正方法】変更
【補正の内容】
【０１０４】
例4からも、n型をドープされた有機層と金属化合物層を有する中間接続層によって接続された2つの白色ELユニットでは、輝度効率を2倍にできるとともに、色も改善できることがわかる。したがって中間接続層を用いてより多くの白色ELユニットを接続すると、より明るくすること、または動作寿命をより長くすることができる。
以下、本発明による実施態様を列挙する。
（態様１）
a）アノードと；
b）カソードと；
c）上記アノードと上記カソードの間に配置され、それぞれが少なくとも1つの発光層を備えていて白色光を出す複数の有機エレクトロルミネッセンス・ユニットと；
d）隣り合った有機エレクトロルミネッセンス・ユニットの間に配置され、少なくとも2つの異なる層を備えていて外部電源に直接は接続されていない中間接続層とを備えるタンデム式白色OLEDデバイス。
（態様２）
上記有機エレクトロルミネッセンス・ユニットのそれぞれが少なくとも3つの発光層を備えていて、その発光層のそれぞれが異なる色の光を出す、態様1に記載のタンデム式白色OLEDデバイス。
（態様３）
上記有機エレクトロルミネッセンス・ユニットのそれぞれが少なくとも2つの発光層を備えていて、その発光層のそれぞれが異なる色の光を出す、態様1に記載のタンデム式白色OLEDデバイス。
（態様４）
上記有機エレクトロルミネッセンス・ユニットのそれぞれが少なくとも1つの発光層を備えている、態様1に記載のタンデム式白色OLEDデバイス。
（態様５）
上記有機エレクトロルミネッセンス・ユニットのそれぞれが、白色光を出せるのであれば同じ層構造でも異なる層構造でもよい、態様1に記載のタンデム式白色OLEDデバイス。
（態様６）
それぞれの中間接続層が、少なくとも、前の有機エレクトロルミネッセンス・ユニットの電子輸送層に隣接して配置されたn型をドープされた有機層と、そのn型をドープされた有機層の上に配置されたp型をドープされた有機層とを含む、態様1に記載のタンデム式白色OLEDデバイス。
（態様７）
それぞれの中間接続層が、n型をドープされた上記有機層とp型をドープされた上記有機層の間に配置された金属化合物層を含む、態様6に記載のタンデム式白色OLEDデバイス。
（態様８）
それぞれの中間接続層が、n型をドープされた上記有機層とp型をドープされた上記有機層の間に配置された仕事関数の大きな金属層を含む、態様6に記載のタンデム式白色OLEDデバイス。
（態様９）
それぞれの中間接続層が、100kΩ/□よりも大きな面抵抗を持ち、少なくとも、前の有機エレクトロルミネッセンス・ユニットの電子輸送層に隣接して配置されたn型をドープされた有機層と、そのn型をドープされた有機層の上に配置された金属化合物層とを含む、態様1に記載のタンデム式白色OLEDデバイス。
（態様１０）
それぞれの中間接続層が、n型をドープされた上記有機層と上記金属化合物層の間に配置された仕事関数の大きな金属層を含む、態様9に記載のタンデム式白色OLEDデバイス。
（態様１１）
それぞれの中間接続層が、100kΩ/□よりも大きな面抵抗を持ち、少なくとも、前の有機エレクトロルミネッセンス・ユニットの電子輸送層に隣接して配置された仕事関数の小さな金属層と、その仕事関数の小さな金属層の上に配置された金属化合物層とを含む、態様1に記載のタンデム式白色OLEDデバイス。
（態様１２）
それぞれの中間接続層が、仕事関数の小さな上記金属層と上記金属化合物層の間に配置された仕事関数の大きな金属層を含む、態様11に記載のタンデム式白色OLEDデバイス。
（態様１３）
それぞれの中間接続層が、100kΩ/□よりも大きな面抵抗を持ち、少なくとも、有機エレクトロルミネッセンス・ユニットの電子輸送層に隣接して配置されたn型無機半導体層と、そのn型無機半導体層の上に配置された金属化合物層とを含む、態様1に記載のタンデム式白色OLEDデバイス。
（態様１４）
それぞれの中間接続層が、上記n型無機半導体層と上記金属化合物層の間に配置された仕事関数の大きな金属層を含む、態様13に記載のタンデム式白色OLEDデバイス。
（態様１５）
それぞれの中間接続層が同じ層構造でも異なる層構造でもよい、態様1に記載のタンデム式白色OLEDデバイス。
（態様１６）
n型をドープされた上記有機層が、少なくとも1種類の有機ホスト材料と、少なくとも1種類のn型ドーパントとを含んでいて、その有機ホスト材料が、電子の輸送をサポートすることができる、態様6に記載のタンデム式白色OLEDデバイス。
（態様１７）
上記有機ホスト材料が、金属キレート化オキシノイド化合物、ブタジエン誘導体、複素環式蛍光増白剤、トリアジン、ヒドロキシキノリン誘導体、ベンズアゾール誘導体、フェナントロリン誘導体、シロール誘導体のいずれか、またはこれらの組み合わせを含む、態様16に記載のタンデム式白色OLEDデバイス。
（態様１８）
上記有機ホスト材料が、トリス(8-ヒドロキシキノリン)アルミニウム（Alq）、4,7-ジフェニル-1,10-フェナントロリン（Bphen）、2,9-ジメチル-4,7-ジフェニル-1,10-フェナントロリン（BCP）、2,2'-[1,1'-ビフェニル]-4,4'-ジイルビス[4,6-(p-トリル)-1,3,5-トリアジン]（TRAZ）のいずれか、またはこれらの組み合わせを含む、態様16に記載のタンデム式白色OLEDデバイス。
（態様１９）
上記n型ドーパントが、アルカリ金属、アルカリ金属の化合物、アルカリ土類金属、アルカリ土類金属の化合物のいずれか、またはこれらの組み合わせを含む、態様16に記載のタンデム式白色OLEDデバイス。
（態様２０）
上記n型ドーパントが、Li、Na、K、Rb、Cs、Mg、Ca、Sr、Ba、La、Ce、Nd、Sm、Eu、Tb、Dy、Ybのいずれか、またはこれらの組み合わせを含む、態様16に記載のタンデム式白色OLEDデバイス。
（態様２１）
p型をドープされた上記有機層が、少なくとも1種類の有機ホスト材料と、少なくとも1種類のp型ドーパントとを含んでいて、その有機ホスト材料が、正孔の輸送をサポートすることができる、態様6に記載のタンデム式白色OLEDデバイス。
（態様２２）
上記有機ホスト材料が、炭素原子（そのうちの少なくとも1つは芳香族環の員である）だけに結合する少なくとも1つの3価窒素原子を含んでいる芳香族第三級アミンを含む、態様21に記載のタンデム式白色OLEDデバイス。
（態様２３）
上記有機ホスト材料が、N,N'-ジ(ナフタレン-1-イル)-N,N'-ジフェニル-ベンジジン（NPB）、N,N'-ジフェニル-N,N'-ビス(3-メチルフェニル)-1,1'-ビフェニル-4,4'-ジアミン（TPD）、N,N,N',N'-テトラナフチル-ベンジジン（TNB）、4,4',4"-トリス(N-3-メチルフェニル-N-フェニル-アミノ)-トリフェニルアミン（m-MTDATA）、4,4',4"-トリス(N,N-ジフェニル-アミノ)-トリフェニルアミン（TDATA）、ジヒドロフェナジン化合物のいずれか、またはこれらの組み合わせを含む、態様21に記載のタンデム式白色OLEDデバイス。
（態様２４）
上記p型ドーパントが、上記ホスト材料と電荷移動錯体を形成することのできる酸化剤を含む、態様21に記載のタンデム式白色OLEDデバイス。
（態様２５）
上記p型ドーパントが、ヨウ素、FeCl3、FeF3、SbCl5、2,3,5,6-テトラフルオロ-7,7,8,8-テトラシアノキノジメタン（F4-TCNQ）、7,7,8,8-テトラシアノキノジメタン（TCNQ）の他の誘導体のいずれか、またはこれらの組み合わせを含む、態様21に記載のタンデム式白色OLEDデバイス。
（態様２６）
上記金属化合物層が、MoO3、NiMoO4、CuMoO4、WO3、ZnTe、Al4C3、AlF3、B2S3、CuS、GaP、InP、SnTeのいずれかを含む、態様7に記載のタンデム式白色OLEDデバイス。
（態様２７）
仕事関数の大きな上記金属層が、Ti、Zr、Nb、Ta、Cr、Mo、W、Re、Fe、Ru、Os、Co、Rh、Ir、Ni、Pd、Pt、Cu、Ag、Au、Zn、Al、In、Snのいずれか、またはこれらの組み合わせを含む、態様8に記載のタンデム式白色OLEDデバイス。
（態様２８）
n型をドープされた上記有機層が、少なくとも1種類の有機ホスト材料と、少なくとも1種類のn型ドーパントとを含んでいて、その有機ホスト材料が、電子の輸送をサポートすることができる、態様9に記載のタンデム式白色OLEDデバイス。
（態様２９）
上記有機ホスト材料が、金属キレート化オキシノイド化合物、8-ヒドロキシ-キノリン誘導体、ブタジエン誘導体、複素環式蛍光増白剤、トリアジン、ベンズアゾール、フェナントロリン誘導体、シロール誘導体のいずれか、またはこれらの組み合わせを含む、態様28に記載のタンデム式白色OLEDデバイス。
（態様３０）
上記有機ホスト材料が、トリス(8-ヒドロキシキノリン)アルミニウム（Alq）、4,7-ジフェニル-1,10-フェナントロリン（Bphen）、2,9-ジメチル-4,7-ジフェニル-1,10-フェナントロリン（BCP）、2,2'-[1,1'-ビフェニル]-4,4'-ジイルビス[4,6-(p-トリル)-1,3,5-トリアジン]（TRAZ）のいずれか、またはこれらの組み合わせを含む、態様28に記載のタンデム式白色OLEDデバイス。
（態様３１）
上記n型ドーパントが、アルカリ金属、アルカリ金属の化合物、アルカリ土類金属、アルカリ土類金属の化合物のいずれか、またはこれらの組み合わせを含む、態様28に記載のタンデム式白色OLEDデバイス。
（態様３２）
上記n型ドーパントが、Li、Na、K、Rb、Cs、Mg、Ca、Sr、Ba、La、Ce、Nd、Sm、Eu、Tb、Dy、Ybのいずれか、またはこれらの組み合わせを含む、態様28に記載のタンデム式白色OLEDデバイス。
（態様３３）
上記金属化合物層が、MoO3、NiMoO4、CuMoO4、WO3、ZnTe、Al4C3、AlF3、B2S3、CuS、GaP、InP、SnTeのいずれかを含む、態様9に記載のタンデム式白色OLEDデバイス。
（態様３４）
仕事関数の大きな上記金属層が、Ti、Zr、Nb、Ta、Cr、Mo、W、Re、Fe、Ru、Os、Co、Rh、Ir、Ni、Pd、Pt、Cu、Ag、Au、Zn、Al、In、Snのいずれか、またはこれらの組み合わせを含む、態様10に記載のタンデム式白色OLEDデバイス。
（態様３５）
仕事関数の小さな上記金属層が、Li、Na、K、Rb、Cs、Mg、Ca、Sr、Ba、La、Ce、Nd、Sm、Eu、Tb、Dy、Ybのいずれか、またはこれらの組み合わせを含む、態様11に記載のタンデム式白色OLEDデバイス。
（態様３６）
上記金属化合物層が、MoO3、NiMoO4、CuMoO4、WO3、ZnTe、Al4C3、AlF3、B2S3、CuS、GaP、InP、SnTeのいずれかを含む、態様11に記載のタンデム式白色OLEDデバイス。
（態様３７）
仕事関数の大きな上記金属層が、Ti、Zr、Nb、Ta、Cr、Mo、W、Re、Fe、Ru、Os、Co、Rh、Ir、Ni、Pd、Pt、Cu、Ag、Au、Zn、Al、In、Snのいずれか、またはこれらの組み合わせを含む、態様12に記載のタンデム式白色OLEDデバイス。
（態様３８）
上記n型無機半導体層が、ZnSe、ZnS、ZnSSe、SnSe、SnS、SnSSe、LaCuO3、La4Ru6O19のいずれかを含む、態様13に記載のタンデム式白色OLEDデバイス。
（態様３９）
上記金属化合物層が、MoO3、NiMoO4、CuMoO4、WO3、ZnTe、Al4C3、AlF3、B2S3、CuS、GaP、InP、SnTeのいずれかを含む、態様13に記載のタンデム式白色OLEDデバイス。
（態様４０）
仕事関数の大きな上記金属層が、Ti、Zr、Nb、Ta、Cr、Mo、W、Re、Fe、Ru、Os、Co、Rh、Ir、Ni、Pd、Pt、Cu、Ag、Au、Zn、Al、In、Snのいずれか、またはこれらの組み合わせを含む、態様14に記載のタンデム式白色OLEDデバイス。
（態様４１）
上記エレクトロルミネッセンス（EL）ユニットに含まれる各発光層の厚さが5nm〜50nmの範囲である、態様1に記載のタンデム式白色OLEDデバイス。
（態様４２）
上記中間接続層に含まれる各層の厚さが0.1nm〜150nmの範囲である、態様1に記載のタンデム式白色OLEDデバイス。
（態様４３）
上記中間接続層に含まれる上記金属化合物層の厚さが0.5nm〜20nmの範囲である、態様7に記載のタンデム式白色OLEDデバイス。
（態様４４）
上記中間接続層に含まれる仕事関数の大きな上記金属層の厚さが0.1nm〜5.0nmの範囲である、態様8に記載のタンデム式白色OLEDデバイス。
（態様４５）
上記中間接続層に含まれる上記金属化合物層の厚さが0.5nm〜20nmの範囲である、態様9に記載のタンデム式白色OLEDデバイス。
（態様４６）
上記中間接続層に含まれる仕事関数の大きな上記金属層の厚さが0.1nm〜5.0nmの範囲である、態様10に記載のタンデム式白色OLEDデバイス。
（態様４７）
上記中間接続層に含まれる仕事関数の小さな上記金属層の厚さが0.1nm〜10nmの範囲である、態様11に記載のタンデム式白色OLEDデバイス。
（態様４８）
上記中間接続層に含まれる上記金属化合物層の厚さが0.5nm〜20nmの範囲である、態様11に記載のタンデム式白色OLEDデバイス。
（態様４９）
上記中間接続層に含まれる仕事関数の大きな上記金属層の厚さが0.1nm〜5.0nmの範囲である、態様12に記載のタンデム式白色OLEDデバイス。
（態様５０）
上記中間接続層に含まれる上記n型無機半導体層の厚さが0.5nm〜20nmの範囲である、態様13に記載のタンデム式白色OLEDデバイス。
（態様５１）
上記中間接続層に含まれる上記金属化合物層の厚さが0.5nm〜20nmの範囲である、態様13に記載のタンデム式白色OLEDデバイス。
（態様５２）
上記中間接続層に含まれる仕事関数の大きな上記金属層の厚さが0.1nm〜5.0nmの範囲である、態様14に記載のタンデム式白色OLEDデバイス。
（態様５３）
上記中間接続層の光透過率がスペクトルの可視領域で少なくとも75％である、態様1に記載のタンデム式白色OLEDデバイス。
（態様５４）
上記中間接続層が、熱蒸着、電子ビーム蒸着、イオン・スパッタリング法、スピン・コーティングのいずれかによって形成されている、態様1に記載のタンデム式白色OLEDデバイス。
（態様５５）
a）アノードと；
b）カソードと；
c）上記アノードと上記カソードの間に配置され、それぞれが少なくとも1つの発光層を備えていて白色光を出す複数の有機エレクトロルミネッセンス・ユニットと；
d）隣り合った有機エレクトロルミネッセンス・ユニットの間に配置され、異なる2つの有機層を備えていて外部電源に直接は接続されていない中間接続層とを備えるタンデム式白色OLEDデバイス。
（態様５６）
上記有機エレクトロルミネッセンス・ユニットのそれぞれが少なくとも3つの発光層を備えていて、その発光層のそれぞれが異なる色の光を出す、態様55に記載のタンデム式白色OLEDデバイス。
（態様５７）
上記有機エレクトロルミネッセンス・ユニットのそれぞれが少なくとも2つの発光層を備えていて、その発光層のそれぞれが異なる色の光を出す、態様55に記載のタンデム式白色OLEDデバイス。
（態様５８）
上記有機エレクトロルミネッセンス・ユニットのそれぞれが少なくとも1つの発光層を備えている、態様55に記載のタンデム式白色OLEDデバイス。
（態様５９）
上記有機エレクトロルミネッセンス・ユニットのそれぞれが、白色光を出せるのであれば同じ層構造でも異なる層構造でもよい、態様55に記載のタンデム式白色OLEDデバイス。
（態様６０）
それぞれの中間接続層が、少なくとも、前の有機エレクトロルミネッセンス・ユニットの電子輸送層に隣接して配置されたn型をドープされた有機層と、そのn型をドープされた有機層の上に配置されたp型をドープされた有機層とを含む、態様55に記載のタンデム式白色OLEDデバイス。
（態様６１）
それぞれの中間接続層が、n型をドープされた有機層とp型をドープされた有機層の間に配置された金属化合物層を含む、態様60に記載のタンデム式白色OLEDデバイス。
（態様６２）
それぞれの中間接続層が、n型をドープされた有機層とp型をドープされた有機層の間に配置された仕事関数の大きな金属層を含む、態様60に記載のタンデム式白色OLEDデバイス。
（態様６３）
それぞれの中間接続層が同じ層構造でも異なる層構造でもよい、態様55に記載のタンデム式白色OLEDデバイス。
（態様６４）
n型をドープされた上記有機層が、少なくとも1種類の有機ホスト材料と、少なくとも1種類のn型ドーパントとを含んでいて、その有機ホスト材料が、電子の輸送をサポートすることができる、態様60に記載のタンデム式白色OLEDデバイス。
（態様６５）
上記有機ホスト材料が、金属キレート化オキシノイド化合物、ブタジエン誘導体、複素環式蛍光増白剤、トリアジン、ヒドロキシキノリン誘導体、ベンズアゾール誘導体、フェナントロリン誘導体、シロール誘導体のいずれか、またはこれらの組み合わせを含む、態様64に記載のタンデム式白色OLEDデバイス。
（態様６６）
上記有機ホスト材料が、トリス(8-ヒドロキシキノリン)アルミニウム（Alq）、4,7-ジフェニル-1,10-フェナントロリン（Bphen）、2,9-ジメチル-4,7-ジフェニル-1,10-フェナントロリン（BCP）、2,2'-[1,1'-ビフェニル]-4,4'-ジイルビス[4,6-(p-トリル)-1,3,5-トリアジン]（TRAZ）のいずれか、またはこれらの組み合わせを含む、態様64に記載のタンデム式白色OLEDデバイス。
（態様６７）
上記n型ドーパントが、アルカリ金属、アルカリ金属の化合物、アルカリ土類金属、アルカリ土類金属の化合物のいずれか、またはこれらの組み合わせを含む、態様64に記載のタンデム式白色OLEDデバイス。
（態様６８）
上記n型ドーパントが、Li、Na、K、Rb、Cs、Mg、Ca、Sr、Ba、La、Ce、Nd、Sm、Eu、Tb、Dy、Ybのいずれか、またはこれらの組み合わせを含む、態様64に記載のタンデム式白色OLEDデバイス。
（態様６９）
p型をドープされた上記有機層が、少なくとも1種類の有機ホスト材料と、少なくとも1種類のp型ドーパントとを含んでいて、その有機ホスト材料が、正孔の輸送をサポートすることができる、態様60に記載のタンデム式白色OLEDデバイス。
（態様７０）
上記有機ホスト材料が、炭素原子（そのうちの少なくとも1つは芳香族環の員である）だけに結合する少なくとも1つの3価窒素原子を含んでいる芳香族第三級アミンを含む、態様69に記載のタンデム式白色OLEDデバイス。
（態様７１）
上記有機ホスト材料が、N,N'-ジ(ナフタレン-1-イル)-N,N'-ジフェニル-ベンジジン（NPB）、N,N'-ジフェニル-N,N'-ビス(3-メチルフェニル)-1,1'-ビフェニル-4,4'-ジアミン（TPD）、N,N,N',N'-テトラナフチル-ベンジジン（TNB）、4,4',4"-トリス(N-3-メチルフェニル-N-フェニル-アミノ)-トリフェニルアミン（m-MTDATA）、4,4',4"-トリス(N,N-ジフェニル-アミノ)-トリフェニルアミン（TDATA）、ジヒドロフェナジン化合物のいずれか、またはこれらの組み合わせを含む、態様69に記載のタンデム式白色OLEDデバイス。
（態様７２）
上記p型ドーパントが、上記ホスト材料と電荷移動錯体を形成することのできる酸化剤を含む、態様69に記載のタンデム式白色OLEDデバイス。
（態様７３）
上記p型ドーパントが、ヨウ素、FeCl3、FeF3、SbCl5、2,3,5,6-テトラフルオロ-7,7,8,8-テトラシアノキノジメタン（F4-TCNQ）、7,7,8,8-テトラシアノキノジメタン（TCNQ）の他の誘導体のいずれか、またはこれらの組み合わせを含む、態様69に記載のタンデム式白色OLEDデバイス。
（態様７４）
上記金属化合物層が、MoO3、NiMoO4、CuMoO4、WO3、ZnTe、Al4C3、AlF3、B2S3、CuS、GaP、InP、SnTeのいずれかを含む、態様61に記載のタンデム式白色OLEDデバイス。
（態様７５）
仕事関数の大きな上記金属層が、Ti、Zr、Nb、Ta、Cr、Mo、W、Re、Fe、Ru、Os、Co、Rh、Ir、Ni、Pd、Pt、Cu、Ag、Au、Zn、Al、In、Snのいずれか、またはこれらの組み合わせを含む、態様62に記載のタンデム式白色OLEDデバイス。
（態様７６）
上記エレクトロルミネッセンス（EL）ユニットに含まれる各発光層の厚さが5nm〜50nmの範囲である、態様55に記載のタンデム式白色OLEDデバイス。
（態様７７）
上記中間接続層に含まれる各層の厚さが0.1nm〜150nmの範囲である、態様55に記載のタンデム式白色OLEDデバイス。
（態様７８）
上記中間接続層に含まれる上記金属化合物層の厚さが0.5nm〜20nmの範囲である、態様61に記載のタンデム式白色OLEDデバイス。
（態様７９）
上記中間接続層に含まれる仕事関数の大きな上記金属層の厚さが0.1nm〜5.0nmの範囲である、態様62に記載のタンデム式白色OLEDデバイス。
（態様８０）
上記中間接続層の光透過率がスペクトルの可視領域で少なくとも75％である、態様55に記載のタンデム式白色OLEDデバイス。
（態様８１）
上記中間接続層が、熱蒸着、電子ビーム蒸着、イオン・スパッタリング法、スピン・コーティングのいずれかによって形成されている、態様55に記載のタンデム式白色OLEDデバイス。